(57)【特許請求の範囲】
【請求項１】
上部ケースの底面に下部ケースの上端開口を連設し、前記上部ケースにおける底面の軸心にガイドロッドを一体形成するとともにこのガイドロッドを下方に突出させ、このガイドロッドに環状マグネットを上下動可能に外嵌めするとともにガイドロッドの下端にスウィングブロックを放射方向に揺動可能に設置し、このスウィングブロックの揺動に基づいて前記環状マグネットとを上下動可能とするとともに前記ガイドロッドと前記環状マグネットと前記スウィングブロックとを前記下部ケース内に収容し、且つ、前記ガイドロッドに軸穴を設けるとともにこの軸穴の上端を前記上部ケースの上面に開口し、この軸穴にリードスイッチを設置することによって前記ガイドロッドの外側にこのリードスイッチのＯＮ範囲を設け、前記環状マグネットがこのＯＮ範囲に侵入したとき前記リードスイッチがＯＮになり傾斜状態を検出することを特徴とする全方向傾斜センサー装置。
【請求項２】
前記環状マグネットは環状マグネットケースに収容されていることを特徴とする請求項１の全方向傾斜センサー装置。
【請求項３】
前記下部ケース内に粘性液体が封入されていることを特徴とする請求項１又は請求項２の全方向傾斜センサー装置。
【請求項４】
前記リードスイッチは基板に設置され、この基板は前記軸穴に圧入されていることを特徴とする請求項１,請求項２又は請求項３の全方向傾斜センサー装置。
【請求項５】
前記上部ケースに前記下部ケース内と連通する空気抜孔を形成するとともにこの空気抜孔の上端開口をビス止め穴としたことを特徴とする請求項１,請求項２，請求項３又は請求項４の全方向傾斜センサー装置。
【発明の詳細な説明】
【技術分野】
【０００１】
この発明は全方向傾斜センサー装置に関し、例えば、自動二輪車、建設用車両、農業用車両の転倒時、エンジンをストップさせるためのセンサーとして使用されるものである。
【背景技術】
【０００２】
従来におけるこの種の傾斜センサーとして、ケーシング内の傾斜溝に金属ボールを転動可能に設置し、この金属ボールの転がり常態で任意な角度を検出するもの（有接点式構造）、ケーシング内に導電性の振り子を揺動可能に設置し、移動する振り子の位置を電極によって検出するもの（有接点式構造）、ケーシング内に振り子を揺動可能に設置し、揺動する振り子の位置を磁気的に検出することによって車両の傾斜を検出するもの（磁力式構造）があった。
【０００３】
【特許文献１】特開２００８−３００１９６号公報
【特許文献２】特開２０１２−０１７３６０号公報
【発明の開示】
【発明が解決しようとする課題】
【０００４】
しかしながら、かかる従来の車両用傾斜センサー装置における有接点式構造のものにあっては多振動に対する耐久性が乏しく、また、磁力式構造のものにあっては、磁力によって傾斜角度が変化するため、磁力管理や手間がかかるとともに設置場所が制限され、その上、作動角変更時に磁力変更によって対応するも磁気違いが目視できないため誤組み付けを防止しにくく、その上、方向性に制約が多いため、全方向の傾斜に対して対応がしにくいという不都合を有した。
【０００５】
この発明の課題はこの不都合を解消することである。
【課題を解決するための手段】
【０００６】
前記不都合を解消するために、この発明に係る全方向傾斜センサー装置においては、上部ケースの底面に下部ケースの上端開口を連設し、前記上部ケースにおける底面の軸心にガイドロッドを一体形成するとともにこのガイドロッドを下方に突出させ、このガイドロッドに環状マグネットを上下動可能に外嵌めするとともにガイドロッドの下端にスウィングブロックを放射方向に揺動可能に設置し、このスウィングブロックの揺動に基づいて前記環状マグネットを上下動可能とするとともに前記ガイドロッドと前記環状マグネットと前記スウィングブロックとを前記下部ケース内に収容し、且つ、前記ガイドロッドに軸穴を設けるとともにこの軸穴の上端を前記上部ケースの上面に開口し、この軸穴にリードスイッチを設置することによって前記ガイドロッドの外側にこのリードスイッチのＯＮ範囲を設け、前記環状マグネットがこのＯＮ範囲に侵入したとき前記リードスイッチがＯＮになり傾斜状態を検出するようにしたものである。
【０００７】
この場合、前記環状マグネットを環状マグネットケースに収容することもできる。
【０００８】
また、前記下部ケース内に粘性液体を封入することもできる。
【０００９】
また、前記リードスイッチを基板に設置し、この基板を前記軸穴に圧入することもできる。
【００１０】
さらに、前記上部ケースに前記下部ケース内と連通する空気抜孔を形成するとともにこの空気抜孔の上端開口をビス止め穴とすることもできる。
【発明の効果】
【００１１】
この発明に係る全方向傾斜センサー装置は上記のように構成されているため、即ち、上部ケースの底面に下部ケースの上端開口を連設し、前記上部ケースにおける底面の軸心にガイドロッドを一体形成するとともにこのガイドロッドを下方に突出させ、このガイドロッドに環状マグネットを上下動可能に外嵌めするとともにガイドロッドの下端にスウィングブロックを放射方向に揺動可能に設置し、このスウィングブロックの揺動に基づいて前記環状マグネットを上下動可能とするとともに前記ガイドロッドと前記環状マグネットと前記スウィングブロックとを前記下部ケース内に収容し、且つ、前記ガイドロッドに軸穴を設けるとともにこの軸穴の上端を前記上部ケースの上面に開口し、この軸穴にリードスイッチを設置することによって前記ガイドロッドの外側にこのリードスイッチのＯＮ範囲を設け、前記環状マグネットがこのＯＮ範囲に侵入したとき前記リードスイッチがＯＮになり傾斜状態を検出するようにしたため、上部ケースの傾斜した際にスウィングブロックは放射方向に揺動することができ、この揺動に基づいて前記環状マグネットが上方に移動してリードスイッチのＯＮ範囲に侵入し前記リードスイッチをＯＮにして当該傾斜状態を検出することができる。
【００１２】
よって、この全方向傾斜センサー装置を使用すれば簡単な構造で全方向の傾斜に対して対応することができるとともに多振動に対する耐久性を向上させることができる。
【００１３】
この場合、前記環状マグネットを環状マグネットケースに収容すれば、環状マグネットは周囲の磁性体に影響されにくいため、磁力管理に手間がかからないとともに設置場所の範囲が広くなる。
【００１４】
また、前記下部ケース内に粘性液体を封入すれば前記スウィングブロックの微動を防ぐことができる。
【００１５】
また、前記リードスイッチを基板に設置し、この基板を前記軸穴に圧入すれば、圧入による前記軸穴への侵入の程度によって前記リードスイッチの位置を上下させることができるため、当該センサー装置の作動角を容易に変更することができる。
【００１６】
さらに、前記上部ケースに前記下部ケース内と連通する空気抜孔を形成するとともにこの空気抜孔の上端開口をビス止め穴とすれば、このビス止め穴に部品等をビス止めすることによってこのビスが前記空気抜孔の密閉栓となるため、密閉栓を別途に用意したり、ビス止め穴を別途に設ける必要がないため、部品点数が減少するとともにとともに加工工程が減少し、生産コストを低額化することができる。
【発明を実施するための最良の形態】
【００１７】
この発明に係る全方向傾斜センサー装置は実施するにあたって下記の構成に最も主要な特徴を有する。
【００１８】
「上部ケース」，(下部ケース」及び「環状マグネットケース」は通常使用される合成樹脂によって形成される。
【００１９】
「リードスイッチ」のＯＮ範囲とは「マグネット」が侵入した際に「リードスイッチ」が作動する範囲である。
【００２０】
「粘性液体」には一例としてシリコンオイルが該当する。
【実施例】
【００２１】
以下、この発明の実施例を図面に基づいて説明する。
図１はこの発明に係る全方向傾斜センサー装置の実施例の断面図、図２は同装置の分解斜視図、図３は同装置のスウィングブロックの斜視図、図４は同装置の環状マグネットケースの斜視図、図５は同装置の作動状態を示した斜視図である。
【００２２】
図１〜図５において、Ａは全方向傾斜センサー装置、１０はその上部ケースである。２０は下部ケースであり、前記上部ケース１０の底面にＯリング２１を介して嵌着している。この下部ケース２０は円筒状であり、その底部の内壁面は凹曲面になっている。
【００２３】
１１はガイドロッドであり、前記上部ケース１０における底面の軸心に一体形成されている。このガイドロッド１は前記下部ケース２０内に向かって下方に突出している。
【００２４】
３１は環状マグネットであり、前記ガイドロッド１１に上下動可能に外嵌めされている。この環状マグネット３１は後記リードスイッチを作動させるためのものである。３２は環状マグネットケースであり、前記環状マグネット３１に外嵌め固定されている。この環状マグネットケース３２は樹脂製であり、前記環状マグネット３１とともに上下動する。
【００２５】
３３はスウィングブロックであり、前記ガイドロッド１１の下端に揺動可能に設置されている。このスウィングブロック３３は亜鉛ダイキャスト製であり、前記ガイドロッド１１が傾斜すると前記下部ケース２０の底部内壁面に沿って放射方向（全方向）に摺動し、前記環状マグネットケース３２を押圧して前記環状マグネット３１を上方向に移動させる。
【００２６】
１２は軸穴であり、前記ガイドロッドに形成されている。この軸穴１２の上端は前記上部ケースの上面に開口している。
【００２７】
次に、４０はリードスイッチ、４１はこのリードスイッチ４０の設置された基板である。この基板４１は前記軸穴１２に圧入されている。４３はこのリードスイッチ４０のＯＮ範囲であり、前記ガイドロッド１１の外側に形成される。このＯＮ範囲４３に前記環状マグネット３１が侵入したとき前記リードスイッチ４０がＯＮになり傾斜状態を検出する。前記基板４１の前記軸穴１２への圧入の侵入程度を調節することによって、前記リードスイッチ４０のＯＮ範囲４３の位置を上下方向に調節できる。４４は基板押さえであり、前記軸穴１２に圧入されて前記基板４１の抜け止めを図っている。なお、４５，４５は配線であり、前記基板４１に設置され、上部ケース１０外に延びている。
【００２８】
Ｓはシリコンオイル（粘性液体）であり、前記下部ケース20内に封入されている。このため、前記スウィングブロックの微動しにくいものである。
【００２９】
さらに、１３，１３は空気抜孔であり、前記上部ケース１０に形成されている。この空気抜孔１３，１３は前記下部ケース２０内と外空間とを連通している。そして、この空気抜孔１３の上端開口は配線押さえ板１４を上部ケース１０にビス１５，１５止めするためのビス止め穴として機能する。また、この場合、前記ビス１５，１５は栓として機能し前記シリコンオイル（粘性液体）Ｓの漏れを防止している。
【産業上の利用可能性】
【００３０】
この発明に係るこの発明に係る全方向傾斜センサー装置は、上部ケースの傾斜した際にスウィングブロックは放射方向に揺動することができ、この揺動に基づいて前記環状マグネットが上方に移動してリードスイッチのＯＮ範囲に侵入し前記リードスイッチをＯＮにして当該傾斜状態を検出することができる。簡単な構造で全方向の傾斜に対して対応することができるとともに多振動に対する耐久性を向上させることができる。よって、産業上の利用可能性は高いものである。
【図面の簡単な説明】
【００３１】
【図１】図１はこの発明に係る全方向傾斜センサー装置の実施例の断面図である。
【図２】図２は同全方向傾斜センサー装置の分解斜視図である。
【図３】図３は同全方向傾斜センサー装置のスウィングブロックの斜視図である。
【図４】図４は同全方向傾斜センサー装置の環状マグネットケースの斜視図である。
【図５】図５は同装置の作動状態を示した斜視図である。
【符号の説明】
【００３２】
Ａ  …  全方向傾斜センサー装置
Ｓ  …  シリコンオイル（粘性液体）
１０  …  上部ケース
１１  …  ガイドロッド
１２  …  軸穴
１３  …  空気抜孔
１４  …  配線押さえ板
１５  …  ビス
２０  …  下部ケース
２１  …  Ｏリング
３１  …  環状マグネット
３２  …  環状マグネットケース
３３  …  スウィングブロック
４０  …  リードスイッチ
４１  …  基板
４３  …  ＯＮ範囲
４４  …  基板押さえ
４５  …  配線
【要約】      （修正有）【課題】簡単な構造で全方向の傾斜に対して対応することができ、多振動に対する耐久性を向上させた全方向傾斜センサー装置。【解決手段】上部ケース１０のガイドロッド１１に環状マグネット３１を外嵌めする。ガイドロッド１１の下端にスウィングブロック３３を放射方向に揺動可能に設置し、このスウィングブロック３３の揺動に基づいて環状マグネット３１を上下動可能とする。ガイドロッド１１の軸穴１２にリードＳＷ４０を設置することによってガイドロッド１１の外側にこのリードＳＷ４０のＯＮ範囲を設ける。環状マグネット３１がこのＯＮ範囲に侵入したときリードＳＷ４０が傾斜状態を検出するようにした。【選択図】図１【図１】
0005404894.tif 000002
【図２】
0005404894.tif 000003
【図３】
0005404894.tif 000004
【図４】
0005404894.tif 000005
【図５】
0005404894.tif 000006